(57)【要約】【課題】  従来の噛み合せ面、唇側、舌側が同時に磨ける全歯周歯ブラシのうち、植毛面一面の歯ブラシは、その総てのブリッスル束が垂直に植毛され中央列を短く刈り、外側列を長くしたものであり、外側列が内側に１０°〜２０°傾いている２面、３面の歯ブラシに較べ、磨掃能力は劣る。従来の植毛面一面の歯ブラシと殆んど同巾で、その外側列のブリッスル束を約１０°内側に傾けて２面、３面の歯ブラシと同じ磨掃効果を得んとする。【解決手段】  外側植毛孔用ピンを所望の角度に傾けて植毛基材背面に抜き、植毛後に該背面を二次成型により充填被覆する。  又は、歯ブラシ躯体成型時に植毛基材面中央列垂直有底植毛孔は同時に成型し、後加工でコンピュータ制御の小型ボール盤で斜め穿孔し、中央列植毛は短く外側列は長く植毛する。【選択図】図８
2009207861.tif 000002
【特許請求の範囲】
【請求項１】
植毛基材一面の複数列のブリッスル束の内、中央列のブリッスル束は植毛面に垂直で高さ５〜６粍に植毛し、両外側列のブリッスル束は１０°前後中心線側に傾け、中央列の倍位の長さに植毛した歯ブラシ。
【発明の詳細な説明】
【技術分野】
【０００１】  この発明は、日常大多数の人が使う歯ブラシのうち、歯列の噛み合せ面と唇側、舌側の三面を同時に磨くことができる、所謂全歯周歯ブラシに関する。
【背景技術】
【０００２】  従来から、全歯周歯ブラシに関する特許、実用新案の出願は多数あるが、その大部分は、植毛基材が二面又は三面のなすＶ字又はＵ字の内面に植毛したものである。（例えば、実用新案登録第３１２６０３２号、実公昭５７−４６８３２、特開２００１−３４６６３３、特表昭６３−５０３２７６）
これらはいずれも、単一の植毛面では斜め植毛が不可能なので、二面又は三面の植毛基材を一平面上に並べ、成型、植毛後、何らかの方法により外側列ブリッスルが内側に傾くように、植毛基材ごと角度を持たせて組立てる方法を採っている。【０００３】  又、植毛基材は単面で、総ての植毛孔は有底で、植毛面に垂直に穿かれ、その中央列のブリッスル束は５〜６粍と短く刈り、両外側列のブリッスル束は、約２倍位の１０〜１３粍の長さに植毛するものがある。（例えば、特開平７−１４３９１５、公開実用昭和５３−６１２６５、特許出願公告昭４８年−２８１５０等）【０００４】  段落［０００３］の歯ブラシは、全ブリッスル束が植毛基材の植毛面に対して垂直に植毛されているので、段落［０００２］に示す歯ブラシより磨掃効果は劣り、又磨掃中に歯列から外れ易い。【０００５】  単面の全歯周歯ブラシで、植毛基材の巾を１３粍位とし、磨掃効果を向上させるために、両外側列のブリッスル束の毛先を内側にカールしたものがある。（文献：歯ブラシ事典第５版  株式会社学建書院、第２４頁８行〜１２行）【０００６】  植毛基材単面の歯ブラシでも、両外側列のブリッスル束を植毛基材の縦中心線の方向に傾けて植毛し得れば、段落［０００２］のグループ同様の磨掃効果を期待し得るが、現在の歯ブラシの製造技術水準では植毛基材に垂直に穿った植毛孔に無理に傾けて植毛することにより、最大４°位は傾けて植毛し得るが、それ以上の角度に傾けて植毛することは不可能である。又、無理に作業をしても植毛機部品の損耗が激しく、長期間の継続作業は出来ない。
【発明の開示】
【発明が解決しようとする課題】
【０００７】  本発明においては、単面の植毛基材の歯ブラシにおいて、両外側列の植毛孔を植毛面から遠ざかるにつれ外側に向うように穿孔し、通常の方法で、内側に傾けて植毛することを課題とする。【０００８】  ブリッスル束を傾けて無理なく植毛するためには、植毛基材の植毛孔を傾けて設けなければならないが、従来から行われている熱可塑性合成樹脂を射出成型法により、植毛基材に設ける植毛孔は植毛面から有底の植毛孔を垂直に穿つように設計され、それ以外の方法は採られていない。【０００９】  単面の歯ブラシで外側列のブリッスル束を内側に傾けて植毛するには、両外側列植毛孔は植毛面から遠ざかるに従って外側に向うことになるので、斜め植毛形成用の植毛ピンを植毛面側に抜くことは不可能であった。この点を解決して、植毛基材は一面で２又は３面の全歯周歯ブラシと同等かそれに近い磨掃効果が得られる単面で両外側列ブリッスル束が歯ブラシの中心線側に１０°前後傾斜した全歯周歯ブラシを得んとする。
【課題を解決する為の手段】
【００１０】  熱可塑性合成樹脂を射出成型法により、歯ブラシの躯体を成型する際、中央列植毛孔用ピンは植毛面に垂直に、外側列の斜めピンは所要の角度に傾けて、植毛基材を貫通させて、植毛基材の背面に抜き、植毛時には仮に底板を設けて植毛し、次いで別の金型で二次成型により植毛基材背面を充填形成し、単一基材の斜め植毛の全歯周歯ブラシを完成させる。
【００１１】  従来通りの熱可塑性合成樹脂の射出成型法により、中央列植毛孔は成型時に垂直、有底に形成し、外側列の植毛孔は後加工で、コンピュータ制御のボール盤により所望の角度に傾けて、有底に穿孔し、植毛して、単一基材の両外側列が約１０°内側に傾斜した全歯周歯ブラシを完成させる。
【発明の効果】
【００１２】  従来、植毛基材一面の全歯周歯ブラシは、総てのブリッスル束が植毛基材に垂直に植毛されていたが、本発明では両外側のブリッスル束が歯ブラシの中心線に向って傾斜しているので、歯列を両外側ブリッスル束が適度の圧力で歯列を挟みながら磨掃するので、磨掃効果は向上し、歯ブラシが歯列から外れにくゝなる等の効果があり、他に通常の歯ブラシと全歯周歯ブラシと比較した効果、例えば全歯周歯ブラシは短時間で磨け、磨き残しが少ない等は当然に保有する。
【発明を実施する為の最良の手段１の形態】
【００１３】  以下、本発明の実施形態を、図１〜図５に基づいて手段１の方法を説明する。
【００１４】  図１、図２において、歯ブラシ躯体１は把持部２と植毛孔を有する植毛基材部３及びネック部４より成り、一般に熱可塑性合成樹脂を射出成型法により形成することによって得られる。
【００１５】  図３は、本発明請求項１の歯ブラシのヘッド側より見た植毛基材３で、植毛面５と植毛基材背面６間の厚さは３粍位で、植毛面５に垂直に設けた中央列植毛孔７と夫々約１０°傾けて、植毛孔８が設けられる。
植毛孔７、８を形成するための植毛孔構成用ピンは、成型の際、角度が広がった側の植毛基材背面６側に抜かれる。
【００１６】  上述のようにして得た歯ブラシ躯体１は、次いで植毛機に掛けられるが、植毛基材部３を安定保持するために、植毛基材背面６に密着する治具９によって固定し、先ず中央列の短い植毛を行い、次いで両外側列を望ましくは、一端は垂直切断、他端は極細テーパー加工したブリッスル束を垂直切断側は８〜９粍位に、他端テーパー加工した側は１２〜１３粍位に平線によって押し込み植毛する。
【００１７】  次に、植毛基材３の背面６を一次成型と同じ材料か、これと相熔性のある弾性ゴム状の熱可塑性合成樹脂で所望の形状に射出成型法によって充填二次加工すれば、単面の傾斜ブリッスルを有する全歯周歯ブラシは完成する。
【００１８】  上述の製造法によれば、歯ブラシ躯体を形成する１次成型用金型と、植毛基材３の背面を充填加工する２次成型用金型とを要する。
【発明を実施する為の最良の手段２の形態】
【００１９】  以下、本発明の手段２の実施形態を、図６〜図８に基づいて説明する。
【００２０】  図６は、手段２によって得られる一次成型品の植毛基材３をヘッド側から見た側面図にして、中央植毛孔列８は成型時に得られ、図７の外側植毛孔列９は後加工のコンピュータ制御の自動ボール盤穿孔によって得られる。
【００２１】  一般に、熱可塑性合成樹脂をボール盤等により高速穿孔すれば、孔の口元附近にバリが出来易いが、ＡＢＳ樹脂を用いればその虞はなく、その後の歯ブラシの製造、使用にも支障はない。
【図面の簡単な説明】
【００２２】
【図１】  一般の単面の歯ブラシ躯体の正面図
【図２】  一般の単面の歯ブラシ躯体の平面図
【図３】  本発明の歯ブラシ製造の手段１の一次射出成型後の植毛基材３の側面図
【図４】  図３の後の植毛時側面図
【図５】  本発明の歯ブラシ製造の手段１のヘッド部３の完成側面図
【図６】  本発明の歯ブラシ製造の手段２の射出成型後のヘッド部３′の側面図
【図７】  図６後に機械穿孔したヘッド部３′の側面図
【図８】  図７後に植毛完成したヘッド部３′の側面図
【符号の説明】
【００２３】  ３、３′植毛基材
５      植毛基材植毛面
６      植毛基材背面
７      中央列植毛孔
７′    課題を解決する為の手段２の中央列植毛孔
８′    機械加工後の外側列植毛孔
【図１】
2009207861.tif 000003
【図２】
2009207861.tif 000004
【図３】
2009207861.tif 000005
【図４】
2009207861.tif 000006
【図５】
2009207861.tif 000007
【図６】
2009207861.tif 000008
【図７】
2009207861.tif 000009
【図８】
2009207861.tif 000010